(57)【要約】【課題】  塗布とマッサージとを独立して操作することが容易なマッサージ機能付き塗布具を提供する。【解決手段】  液体を収容する軸筒と該軸筒の先方に装着される塗布部とを有するマッサージ機能付き液体塗布具において、塗布部は、液体を供給する塗布芯と、マッサージ部が設けられた先軸とを有し、前記塗布芯とマッサージ部とは、共に塗布具の先端側に配置され、かつ、それぞれが別体で構成されているマッサージ機能付き液体塗布具。【選択図】図２
2015006235.tif 000002
【特許請求の範囲】
【請求項１】
液体を収容する軸筒と該軸筒の先方に装着される塗布部とを有するマッサージ機能付き液体塗布具において、
塗布部は、液体を供給する塗布芯と、マッサージ部が設けられた先軸とを有し、
前記塗布芯とマッサージ部とは、共に塗布具の先端側に配置され、かつ、それぞれが別体で構成されていることを特徴とするマッサージ機能付き液体塗布具。
【請求項２】
マッサージ部と塗布芯とは、軸筒に対して進退動可能に弾発されて支持されており、
マッサージ部の先方への弾発力は、塗布芯の先方への弾発力よりも低いことを特徴とする請求項１に記載のマッサージ機能付き液体塗布具。
【請求項３】
先軸におけるマッサージ部の後方の外周壁には、螺旋状の弾性変形部が形成されて、その弾性変形部によってマッサージ部に弾発力を付与する構造であることを特徴とする請求項１又は２記載のマッサージ機能付き液体塗布具。
【請求項４】
前記塗布芯は、前記先軸の弾性変形部に囲まれかつ、前記マッサージ部の先端の開口から進退動可能に装着されており、
前記塗布芯の後部と軸筒内との間には、該軸筒内の液体を前記塗布芯に導出・非導出状態とするバルブ機構が設けられ、
前記塗布芯が押圧されてバルブ機構が開弁したときに、前記塗布芯を介して通って液体が前記塗布芯の先端に供給されるようにしたことを特徴とする請求項１から３のうちのいずれか１項に記載のマッサージ機能付き液体塗布具。
【発明の詳細な説明】
【技術分野】
【０００１】
本発明は毛髪用、肌等に種々の薬液や化粧料を塗布する塗布具であって、塗布の際に先端部で頭皮や肌をマッサージ可能なアプリケータを有する構造のマッサージ機能付き塗布具に関する。
【背景技術】
【０００２】
従来、塗布液の供給と共に頭部へのマッサージを行うことができる液体塗布具が開示されている（特許文献１〜３）。この技術は、軸先端の端面にマッサージ部である突起を複数形成し、マッサージをする際の頭皮等への押圧動作からマッサージ部と一体で構成されている塗布部から塗布液が頭皮等へ供給できる構成となっている。
【先行技術文献】
【特許文献】
【０００３】
【特許文献１】実開平０３−６７６５９号公報
【特許文献２】特開２００５−１０４５４４号公報
【特許文献３】特開２００９−２６２９４６号公報
【発明の概要】
【発明が解決しようとする課題】
【０００４】
しかし、塗布部とマッサージ部が一体構成であるために、塗布液を供給しないでマッサージのみを行いたい場合は、操作が非常に困難であった。
【０００５】
本発明は、斯かる実情に鑑み、塗布とマッサージとを独立して操作することが容易なマッサージ機能付き塗布具を提供するものである。
【課題を解決するための手段】
【０００６】
本発明は、液体を収容する軸筒と該軸筒の先方に装着される塗布部とを有するマッサージ機能付き液体塗布具において、
塗布部は、液体を供給する塗布芯と、マッサージ部が設けられた先軸とを有し、
前記塗布部材とマッサージ部とは、共に塗布具の先端側に配置され、かつ、それぞれが別体で構成されていることを特徴とするマッサージ機能付き液体塗布具である。
【０００７】
本発明において、マッサージ部と塗布芯とは、軸筒に対して進退動可能に弾発されて支持されており、マッサージ部の先方への弾発力は、塗布芯の先方への弾発力よりも低いことが好適である。
【０００８】
また、本発明において、先軸におけるマッサージ部の後方の外周壁には、螺旋状の弾性変形部が形成されて、その弾性変形部によってマッサージ部に弾発力を付与する構造であることが好適である。
【０００９】
本発明において、前記塗布芯は、前記先軸の弾性変形部に囲まれかつ、前記マッサージ部の先端の開口から進退動可能に装着されており、前記塗布芯の後部と軸筒内との間には、該軸筒内の液体を前記塗布芯に導出・非導出状態とするバルブ機構が設けられ、前記塗布芯が押圧されてバルブ機構が開弁したときに、前記塗布芯を介して通って液体が前記塗布芯の先端に供給されるようにしたことが好適である。
【００１０】
なお、前記先軸は、弾性変形部がほぼ螺旋状に弾性変形可能に形成されていると共に、マッサージ部、弾性変形部と軸筒への装着部が一体に樹脂成形されたものであることが好適である。
【発明の効果】
【００１１】
本発明のマッサージ機能付き塗布具によれば、塗布部とマッサージ部とを別体にすることにより、マッサージと塗布との切替えが容易となる。
なお、マッサージ部の先方への弾発力は、塗布芯の先方への弾発力よりも低いものにすることで、マッサージ部の後方へ移動可能な荷重を、液体が吐出する塗布芯の後方へ移動可能な荷重よりも低くできるため、対象部に塗布部を押圧したときに軽い荷重では塗布芯が後方に移動しないのでマッサージのみが行え、さらに押し込むと塗布芯が後方に移動可能になる。塗布芯の後方移動によってバルブを開く構造とすれば、塗布状態となるので、マッサージと塗布との切替えを容易とすることができる。
【図面の簡単な説明】
【００１２】
【図１】本発明の実施形態に係るマッサージ機能付き塗布具のキャップをした状態の説明図で、（ａ）が先方からの視図、（ｂ）が（ａ）のＡ−Ａ線に沿う縦断面図、（ｃ）が側面図、（ｄ）が（ｃ）のＢ−Ｂ線に沿う横断面図、（ｅ）が前方からの斜視図である。
【図２】図１のマッサージ機能付き塗布具のキャップを外した状態の説明図で、（ａ）が先方からの視図、（ｂ）が（ａ）のＡ−Ａ線に沿う縦断面図、（ｃ）が側面図、（ｄ）が（ｂ）のＢ−Ｂ線に沿う横断面図、（ｅ）が前方からの斜視図である。
【図３】図１のマッサージ機能付き塗布具の先軸を外した状態の説明図で、（ａ）が先方からの視図、（ｂ）が（ａ）のＡ−Ａ線に沿う縦断面図、（ｃ）が側面図、（ｄ）が（ｃ）のＢ−Ｂ線に沿う横断面図、（ｅ）が前方からの斜視図である。
【図４】図１のマッサージ機能付き塗布具の継手についての部品図で、（ａ）が先方からの視図、（ｂ）が先方からの斜視図、（ｃ）が側面図、（ｄ）が（ｃ）の状態の縦断面図、（ｅ）が後方からの斜視図、（ｆ）が後方からの視図である。
【図５】図１のマッサージ機能付き塗布具の先軸についての部品図で、（ａ）が先方からの斜視図、（ｂ）が先方からの視図、（ｃ）が側面図、（ｄ）が（ｃ）の状態の縦断面図、（ｅ）が（ｃ）から９０度回転させた側面図、（ｆ）が（ｅ）の状態の縦断面図、（ｇ）が後方からの斜視図、（ｈ）が後方からの視図である。
【図６】図１のマッサージ機能付き塗布具の押圧作動についての説明図であり、（ａ）が側面図、（ｂ）が（ａ）の状態の縦断面図、（ｃ）が（ａ）から９０°回転させた側面図、（ｄ）が（ｃ）の状態の縦断面図である。
【発明を実施するための形態】
【００１３】
以下、本発明の実施形態について添付図面を参照して説明する。
【００１４】
図１〜図６は、実施形態に係るマッサージ機能付き塗布具の説明図である。図１がキャップをした状態の塗布具、図２はキャップを外した状態の塗布具を示している。
【００１５】
図１、図２に示すように、マッサージ機能付き塗布具は、液体を収容する後軸（「軸筒」に相当）１０と該後軸１０の先方に装着される塗布部１２とを有している。
【００１６】
また、塗布部１２は、当該液体を対象部に対して先端部によって塗布する部材の塗布芯１４と、マッサージ部１６を先端に設けた先軸１８とを有してなる。塗布部１２において、前記塗布芯１４とマッサージ部１６とは、共に塗布具の先端側に配置され、かつ、それぞれが別体で構成されている。
【００１７】
前記塗布具は、前記後軸１０と、前記塗布部１２（塗布芯１４、先軸１８）との他、継手２０と弁棒２２と弁座２４とスプリング２６とを設けてなるバルブ機構２８、後軸１０先端と嵌合して塗布芯１４の揮発を防ぐためのキャップ３０を備えている。
【００１８】
なお、上記塗布具の不使用時には、図１に示すように、キャップ３０を先軸１８の外径部に嵌めて塗布芯１４及びマッサージ部１６の露出による揮発を防ぎ、上記塗布具の使用時には、図２に示すように、キャップ３０を外して塗布芯１４及びマッサージ部１６を露出する。なお、キャップ３０は、ＰＰ等からなる合成樹脂を使用して有底筒状体に成形されている。
【００１９】
〔後軸１０〕
前記後軸１０は後端の閉鎖された筒状の容器であって当該後軸１０内部に塗布液が収容される。前記後軸１０の先端部１０ａに先軸１８の後部が螺着して固定されている。
【００２０】
前記後軸１０は、例えば、ＰＰ等からなる合成樹脂を使用して有底筒状体に成形され、塗布具本体として機能する。この後軸１０全体及び先軸１８は不透明又は透明（及び半透明）に成形されるが、外観上や実用上の観点からいずれを採用しても良い。また、後軸１０の筒状に開口している先端部１０ａの外周部に先軸１８が圧入等により固着される構造となっている。
【００２１】
〔塗布芯１４〕
塗布芯１４は、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、又は、各種のプラスチック粉末などを焼結したポーラス体（焼結芯）などから構成されるものである。
【００２２】
図２はキャップ３０を外したマッサージ機能付き液体塗布具を示す図である。
先軸１８のマッサージ部１６と塗布芯１４とは、先軸１８に対して進退動可能に弾発されて支持されている。
【００２３】
先軸１８のマッサージ部１６は、複数のマッサージ用の突起１６ａが先軸１８先端に突出して形成され、その中（中央）の貫通孔１６ｂから塗布芯１４の先端が露出している。マッサージ用の突起１６ａの先端面は塗布芯１４の先端面より露出していることが望ましい。使用時には先軸１８が軸方向に圧縮される後、塗布芯１４が軸方向に移動することでバルブ機構２８が開弁して、後軸１０内の液体が塗布芯１４に向けて流出可能となる。
【００２４】
その際、先軸１８だけ圧縮する（弾性変形部３２が圧縮変形し、バルブ機構２８が開弁しない）ことで液体を吐出させずにマッサージのみを行うことができる。
【００２５】
塗布芯１４は、継手２０の中空内に進退動可能に挿入され、塗布芯１４の後端がバルブ機構２８を作動させるようになっている。
【００２６】
図３は、先軸１８を外した液体容器を示す図である。この状態のように、先軸１８が無くても液体を塗布することは可能だが、マッサージをすることはできない。塗布芯１４の先端が継手２０から突出状態になっている。
【００２７】
〔継手２０〕
継手２０は、図４に示す通り、概略筒状であって、後端部が先端部より太径になっていてその太径の周囲にフランジが展開して設けられている。この継手２０の後端部が図１に示すようにバルブ機構２８の弁座２４を介して後軸１０の先端の開口部に嵌めこまれている。
【００２８】
図４に示すように、継手２０の中心部に塗布芯１４を挿入可能な流路２０ａを設け、流路２０ａの内面に複数条の溝を形成している。溝を形成することで、塗布芯１４からの流量が不足した場合でも、その溝から液が供給可能であるため、適度な液流量を確保することができる。継手２０は、ＰＰ等からなる合成樹脂を使用して成形されている。
【００２９】
〔先軸１８〕
先軸１８は、図２、図５に示す通り、概略円筒形に形成し、先端にはマッサージ部１６はリング状を呈しその先端面から複数のマッサージ用の突起１６ａが露出し突出形成されている。
【００３０】
また、マッサージ部１６では、マッサージ用の突起１６ａが環状に配列された中心部に貫通孔１６ｂからなる塗布芯露出部を形成し、液体容器の後軸１０に装着した際に塗布芯１４が露出するようになっている。
【００３１】
先軸１８の側面の外周部には弾発力（バネ荷重）を得るために螺旋状の内外を貫通する空間部を設けた、概略螺旋状の弾性変形部３２を形成している。この弾性変形部３２の弾発力は、突起１６ａによるマッサージのみを行う場合に備えて、塗布芯１４の弾発力より低くすることが望ましい。
【００３２】
また、先軸１８の後部に設けた装着部１８ａの内面には後軸１０との嵌合部１８ｂを形成している。なお、嵌合部１８ｂは環状突起に限定されず、嵌合方法はネジによる螺合や圧入等、後軸から外れにくい構造であれば特に問題無い。
【００３３】
なお、前記先軸１８は、先端のマッサージ部１６が弾性変形部３２を介して装着部１８ａが一体に、例えばポリプロピレン（ＰＰ）によって樹脂成形されたものである。
【００３４】
〔バルブ機構２８〕
塗布具において、図２、図６に示すように、前記塗布芯１４は、前記先軸１８の弾性変形部３２に囲まれかつ、前記マッサージ部１６の先端の貫通孔１６ｂから進退動可能に装着されている。
【００３５】
前記塗布芯１４の後部と後軸１０内との間には、該後軸１０内の液体を前記塗布芯１４に導出・非導出状態とするバルブ機構２８が設けられている。
【００３６】
バルブ機構２８では、図２、図３に示すように、前記継手２０の後部内に先方に塗布芯１４を挿着した弁棒２２が進退可能に概略すり鉢状の弁座２４の後部中央孔２４ａに開閉可能に配置され、弁棒２２がスプリング２６によって先方に向けて弾発されている。なお、バルブ機構２８の弁棒２２、弁座２４はポリエチレン（ＰＥ）で形成されている。
【００３７】
前記弁座２４の後面と後軸１０（先端部１０ａ）の先端面との間にＯ（オー）リング３４が介装されて水密を保持している。
【００３８】
また、弁棒２２の後ろ開きテーパ状の肩部と弁座２４の後ろ向きに拡径する角部が当接するシール部（図２に符号３６で示す）になっており、スプリング２６で弁棒２２が先方に付勢されている状態でそのシール部３６が閉じ、スプリング２６の付勢力に抗して弁棒２２が後方に移動するとそのシール部３６が開く構造になっている。
【００３９】
さらに弁棒２２の後端部が弁座２４の後端の中央孔２４ａに挿通され、弁棒２２の所定以上の後方移動によって当該中央孔２４ａが閉じる構造になっている。
【００４０】
本実施形態のマッサージ機能付き塗布具によれば、塗布部１２の先端部が対象面に押圧されたときに前記先軸１８の弾性変形部が弾性変形し前記塗布芯１４が後方に押し込まれる。すると、図６に示すように、前記塗布芯１４が押圧されて前記バルブ機構２８が開弁し、バルブ機構２８が開弁したときに、前記塗布芯１４自体及び塗布芯１４と継手２０との隙間に設けられた流路２０ａ内を通じて塗布液（液体）が前記塗布芯１４の先端に供給されるようにしている。
【００４１】
したがって、塗布芯１４を押圧すると同時にバルブ機構２８が開弁して塗布液が塗布されるので、使用者は対象部に塗布部１２を押し当てた際に塗布芯１４を押圧してバルブ機構２８から塗布液を適量、塗布面に供給して便利に使用することができる。
【００４２】
また、マッサージ部１６の先方への弾発力は、塗布芯１４の先方への弾発力よりも低いものにしている。つまり、マッサージ部１６を後方へ移動可能な荷重が、液体を吐出する塗布芯１４を後方へ移動可能な荷重よりも低くしている。
【００４３】
したがって、使用者が塗布具を持って頭皮等の対象部に塗布部１２を押圧させたときに次の状態になる。
(1)塗布具において、塗布部１２に比較的軽い荷重をかけた場合に、塗布部１２のマッサージ部１６の突起１６ａと塗布芯１４が対象部に当たり、弾性変形部３２が弾性変形し、バルブ機構２８のスプリング２６が変形しない状態とする。この状態では、塗布芯１４が後方に移動しないのでバルブ機構２８が開かず塗布液が塗布芯１４に供給されない状態になり、一方、マッサージ部１６の突起１６ａが頭皮等の対象部に当接して対象部のマッサージのみを十分に行える。
【００４４】
(2)さらに、塗布部１２に比較的重い荷重をかけると、塗布部１２が押し込まれて塗布芯１４が対象部に押圧されて後方に移動する。この塗布芯１４の後方移動によってバルブ機構２８が開くので、塗布液が塗布芯１４に供給され塗布状態となる。
【００４５】
以上から、押圧力の調整によってマッサージと塗布との切替えを容易に行うことができる。したがって、握りやすいペンタイプの塗布具として、適時に押しつけて塗布液を滴下しながら、同時にマッサージをすることが可能になる。
【００４６】
例えば本発明の塗布具をペン型の育毛剤容器とすれば、塗布部を頭皮に押しつけることでバルブ機構２８が開弁し、塗布液が滴下する。バルブ機構２８の動きに合わせてマッサージ部１６が適度な力で反発する。
【００４７】
本発明の塗布具は、塗布液を滴下する機構と、マッサージ器具を１つにした構造でマッサージ機能付き塗布具の機構である。既存部品を一部流用してシンプルな機構で、コストメリットも期待できる。また、握りやすいペンタイプで、中身液を滴下しながら、同時にマッサージをすることが可能である。
【００４８】
本発明に上記の実施形態に限定されず、他の種々に変形実施することができる。例えば先軸はマッサージ部と弾性変形部が一体に樹脂成形されていたが、いくつかに別体に成形し、各部を組み付けて一体にした構成とすることができる。そのときに材質は樹脂材以外の金属材等を必要に応じて適時の材質のもので形成することもできる。
【産業上の利用可能性】
【００４９】
本発明のマッサージ機能付き塗布具は、頭皮用化粧料、育毛剤、肌用薬剤に利用することができる。
【符号の説明】
【００５０】
１０  後軸（軸筒）
１０ａ  後軸の先端部
１２  塗布部
１４  塗布芯
１６  マッサージ部
１６ａ  マッサージ部の突起
１６ｂ  貫通孔
１８  先軸
２０  継手
２８  バルブ機構
３０  キャップ
３２  弾性変形部
【図１】
2015006235.tif 000003
【図２】
2015006235.tif 000004
【図３】
2015006235.tif 000005
【図４】
2015006235.tif 000006
【図５】
2015006235.tif 000007
【図６】
2015006235.tif 000008